【手続補正書】
【提出日】平成20年6月11日(2008.6.11)
【手続補正１】
【補正対象書類名】明細書
【補正対象項目名】特許請求の範囲
【補正方法】変更
【補正の内容】
【特許請求の範囲】
【請求項１】  所定の始動条件の成立に基づいて各々が識別可能な複数種類の識別情報の可変表示を行なうことが可能な可変表示装置を備え、該可変表示装置の表示結果が予め定められた特定の表示結果となったときに遊技者にとって有利な特定遊技状態に制御可能となる遊技機であって、
可変表示開始条件の成立に基づいて前記可変表示装置の表示結果を前記特定の表示結果とするか否かを決定する表示結果決定手段と、
前記可変表示装置において前記複数種類の識別情報の可変表示を開始させた後、前記表示結果決定手段の決定に従って表示結果を導出表示させる可変表示制御を行なう可変表示制御手段と、
前記始動条件が成立しても直ちに可変表示を開始できないときに前記可変表示開始条件の成立に基づいて可変表示を開始できるまで前記始動条件の成立を保留データとして記憶する保留記憶手段と、
該保留記憶手段により記憶されている保留データ数に対応する数だけ所定の表示態様の保留表示を行なうことによって、前記保留データ数を報知する保留データ数表示部と、
前記保留データ数表示部の保留表示を遮蔽するための遮蔽部材と、
該遮蔽部材を制御して前記保留データ数表示部の保留表示が遮蔽された遮蔽状態と遮蔽されていない非遮蔽状態とに変化させる遮蔽部材制御手段とを含むことを特徴とする、遊技機。
【手続補正２】
【補正対象書類名】明細書
【補正対象項目名】０００７
【補正方法】変更
【補正の内容】
【０００７】
【課題を解決するための手段の具体例およびその効果】
（１）  所定の始動条件（始動入賞）の成立に基づいて各々が識別可能な複数種類の識別情報（特別図柄）の可変表示を行なうことが可能な可変表示装置（可変表示装置８）を備え、該可変表示装置の表示結果が予め定められた特定の表示結果（たとえば「３３３」等のゾロ目）となったときに遊技者にとって有利な特定遊技状態（大当り状態）に制御可能となる遊技機（パチンコ遊技機１）であって、
可変表示開始条件の成立に基づいて前記可変表示装置の表示結果を前記特定の表示結果とするか否かを決定する表示結果決定手段（遊技制御用マイクロコンピュータ５３、図１５のＳ５６，Ｓ５７）と、
前記可変表示装置において前記複数種類の識別情報の可変表示を開始させた後、前記表示結果決定手段の決定に従って表示結果を導出表示させる可変表示制御を行なう可変表示制御手段（表示制御用マイクロコンピュータ８００、図２９、図３０、図３１）と、
前記始動条件が成立しても直ちに可変表示を開始できないときに前記可変表示開始条件の成立に基づいて可変表示を開始できるまで前記始動条件の成立を保留データとして記憶する保留記憶手段（ＲＡＭ５５、図１４のＳ４３）と、
該保留記憶手段により記憶されている保留データ数に対応する数だけ所定の表示態様（図８の「緑色点灯」）の保留表示を行なうことによって、前記保留データ数を報知する保留データ数表示部（始動記憶表示器１８）と、
前記保留データ数表示部の保留表示を遮蔽するための遮蔽部材（恐竜の顔の形をした遮蔽部材２１ａ、恐竜の下顎の形をした遮蔽部材２１ｂ）と、
該遮蔽部材を制御して前記保留データ数表示部の保留表示が遮蔽された遮蔽状態と遮蔽されていない非遮蔽状態とに変化させる遮蔽部材制御手段（表示制御用マイクロコンピュータ８００、遮蔽状態は図４の（Ａ−４）を参照、非遮蔽状態は図４の（Ａ−１）〜（Ａ−３）および（Ａ−５）を参照）とを含む。
【手続補正３】
【補正対象書類名】明細書
【補正対象項目名】０００８
【補正方法】変更
【補正の内容】
【０００８】
このような構成によれば、遮蔽部材が稼動して保留データ数表示部を遮蔽状態にするため、遊技者の注意を遮蔽部材と保留データ数表示部とに向けることができる。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】０２２１
【補正方法】変更
【補正の内容】
【０２２１】
以上説明した本実施の形態には、以下の発明が開示されている。
（１） 所定の始動条件（始動入賞）の成立に基づいて各々が識別可能な複数種類の識別情報（特別図柄）の可変表示を行なうことが可能な可変表示装置（可変表示装置８）を備え、該可変表示装置の表示結果が予め定められた特定の表示結果（たとえば「３３３」等のゾロ目）となったときに遊技者にとって有利な特定遊技状態（大当り状態）に制御可能となる遊技機（パチンコ遊技機１）であって、
可変表示開始条件の成立に基づいて前記可変表示装置の表示結果を前記特定の表示結果とするか否かを決定する表示結果決定手段（遊技制御用マイクロコンピュータ５３、図１５のＳ５６，Ｓ５７）と、
前記可変表示装置において前記複数種類の識別情報の可変表示を開始させた後、前記表示結果決定手段の決定に従って表示結果を導出表示させる可変表示制御を行なう可変表示制御手段（表示制御用マイクロコンピュータ８００、図２９、図３０、図３１）と、
前記始動条件が成立しても直ちに可変表示を開始できないときに前記可変表示開始条件の成立に基づいて可変表示を開始できるまで前記始動条件の成立を保留データとして記憶する保留記憶手段（ＲＡＭ５５、図１４のＳ４３）と、
該保留記憶手段により記憶されている保留データ数に対応する数だけ所定の表示態様（図８の「緑色点灯」）の保留表示を行なうことによって、前記保留データ数を報知する保留データ数表示部（始動記憶表示器１８）と、
前記保留データ数表示部の保留表示を遮蔽するための遮蔽部材（恐竜の顔の形をした遮蔽部材２１ａ、恐竜の下顎の形をした遮蔽部材２１ｂ）と、
該遮蔽部材を制御して前記保留データ数表示部の保留表示が遮蔽された遮蔽状態と遮蔽されていない非遮蔽状態とに変化させる遮蔽部材制御手段（表示制御用マイクロコンピュータ８００、遮蔽状態は図４の（Ａ−４）を参照、非遮蔽状態は図４の（Ａ−１）〜（Ａ−３）および（Ａ−５）を参照）と、
前記保留記憶手段に記憶されている保留データのうちに前記可変表示装置の表示結果が前記特定の表示結果となる保留データが存在するときに、当該保留データに対応する保留表示を前記所定の表示態様とは異なる特別表示態様（図８の「青色点滅１」、「青色点滅２」、「青色点灯」、「赤色点灯」）にするか否かを決定する特別表示態様決定手段（遊技制御用マイクロコンピュータ５３、図１６のＳ８１，Ｓ８４，Ｓ８５）と、
該特別表示態様決定手段の決定に従い、前記可変表示装置の表示結果が前記特定の表示結果となる保留データに対応する保留表示を前記特別表示態様にする特別表示制御を実行することにより、前記可変表示装置の表示結果が前記特定の表示結果となることを予告する予告手段（表示制御用マイクロコンピュータ８００、図４参照）とを含み、
前記保留データ数表示部が前記遮蔽状態であるときに前記特別表示制御を開始し（図５参照）、
前記遮蔽部材制御手段は、前記予告手段が前記特別表示制御を開始した後、前記保留データ数表示部の保留表示を前記遮蔽状態から前記非遮蔽状態に変化させる制御を行なう（図４の（Ａ−４）から（Ａ−５）に変化させる）。
このような構成によれば、保留データ数表示部において特定の表示結果の発生を予告するという演出が行なわれるため、可変表示を中断することなく予告を行なうことができる。また、保留データ数表示部が遮蔽状態であるときから前記表示部を前記特別表示態様にする制御を開始するため、遮蔽部材が保留データ表示部を遮蔽したときは、特定の表示結果の発生に対する遊技者の期待感を高めることができる。また、遮蔽部材が稼動して保留データ数表示部を遮蔽状態にするため、遊技者の注意を遮蔽部材と保留データ数表示部とに向けることができる。
（２） 前記遮蔽部材制御手段は、前記可変表示においてリーチ状態（リーチ状態、リーチ態様、リーチ表示態様）が成立したとき、前記遮蔽部材（恐竜の下顎の形をした遮蔽部材２１ｂ）を制御して前記保留データ数表示部（始動記憶表示器１８）を前記遮蔽状態（図４の（Ａ−４））にする制御を行なう。
このような構成によれば、リーチ状態の発生に対する期待感だけではなく、保留データ数表示部において特定の表示結果となることを予告するという演出に対しても遊技者に興味を抱かせることができる。
（３） 前記遮蔽部材制御手段は、前記可変表示装置において前記複数種類の識別情報（特別図柄）が可変開始されたとき、前記遮蔽部材（恐竜の下顎の形をした遮蔽部材２１ｂ）を制御して前記保留データ数表示部（始動記憶表示器１８）を前記遮蔽状態にする。
このような構成によれば、可変表示装置において複数種類の識別情報が可変開始される毎に保留データ数表示部において特定の表示結果となることを予告するという演出が行なわれるため、予告の発生頻度が高くなり、遊技者の期待感を向上させることができる。
（４） 前記保留記憶手段に記憶されている保留データのうち前記可変表示装置の表示結果が前記特定の表示結果とならない保留データに対応する保留表示を前記特別表示態様にするか否かを決定する偽特別表示態様決定手段（遊技制御用マイクロコンピュータ５３、図１６のＳ８２，Ｓ８３，Ｓ８４，Ｓ８５）と、
該偽特別表示態様決定手段の決定に従い、前記可変表示装置の表示結果が前記特定の表示結果とならない保留データに対応する保留表示を前記特別表示態様にする特別表示制御を実行することにより、前記可変表示装置の表示結果が前記特定の表示結果となることを予告する偽予告手段（表示制御用マイクロコンピュータ８００、図４の（Ａ−５））とを含み、
該偽予告手段は、前記保留データ数表示部（始動記憶表示器１８）が前記遮蔽状態であるときに前記特別表示制御を開始し（図５参照）、
前記遮蔽部材制御手段は、前記偽予告手段が前記特別表示制御を開始した後、前記保留データ数表示部の保留表示を前記遮蔽状態から前記非遮蔽状態に変化させる制御を行なう（図４の（Ａ−４）から（Ａ−５）に変化させる）。
このような構成によれば、保留記憶手段に記憶されている保留データのうちに前記可変表示装置の表示結果が前記特定の表示結果とならない保留データが存在するときに、保留データ数表示部において特定の表示結果の発生を予告するという演出が行なわれるため、予告の発生頻度が高くなり、遊技者の期待感を向上させることができる。
（５） 前記表示結果決定手段により前記特定の表示結果を発生させないことが決定されたとき、リーチ状態を成立させるか否かを決定するリーチ状態決定手段（遊技制御用マイクロコンピュータ５３、図１６のＳ７４，Ｓ７５）をさらに含み、
前記偽特別表示態様決定手段は、前記リーチ状態決定手段によりリーチ状態を成立させることが決定されたとき（図１６のＳ７６）に、前記保留記憶手段に記憶されている保留データのうちのいずれかに対応する保留表示を前記特別表示態様にするか否かを決定する（図１６のＳ８２，Ｓ８４，Ｓ８５）。
このような構成によれば、リーチ状態決定手段によりリーチ状態を成立させることが決定されたときに、保留データ数表示部において特定の表示結果の発生を予告するという演出が行なわれるため、予告の発生頻度が高くなり、遊技者の期待感を向上させることができる。
（６） 前記特別表示態様決定手段が前記保留表示を前記特別表示態様にすることを決定したときに該特別表示態様を予め定められた複数種類の中（図８の「青色点滅１」、「青色点滅２」、「青色点灯」、「赤色点灯」）から選択する特別表示態様選択手段（遊技制御用マイクロコンピュータ５３、図１６のＳ８７，Ｓ８８）をさらに含み、
該特別表示態様選択手段は、前記特別表示態様の種類によって前記予告の信頼度が異なるように、前記特別表示態様を選択する（図１０参照）。
このような構成によれば、信頼度の高い特別表示態様によって予告が行われたときは、遊技者は特定の表示結果の発生に対して期待感を抱くことができる。
（７） 前記特別表示態様決定手段は、前記保留記憶手段に記憶されている保留データ数が２つ以上であるとき（図１６のＳ６２）、前記決定をする。
このような構成によれば、保留データ記憶手段に保留データが記憶されていないときに保留データ数表示部において特定の表示結果の発生を予告するという演出が行なわれることを防止することができる。
なお、今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。